(57)【要約】【課題】  左右のサイドプレートをクロスバーで接続したリンクを多数連結したエネルギーガイドチェーンの前記クロスバーを開放するために、取扱いが便利で、構造が簡単で、且つ、製造が簡単な開口補助具を提供する。【解決手段】  開口補助具（１）は、動作方向に延びる補助具本体（２）と、傾斜摺動反転面（３）でクロスバー（Ｑ）を反転案内する拡幅部（４）とを備え、前記拡幅部（４）が、クロスバー（Ｑ）を反転させることができる拡幅位置と、その拡幅位置から退避されクロスバー（Ｑ）を反転させることができない中立位置との間で進退するように、補助具本体（２）に対して折り畳み可能に取り付けられて成る。【選択図】図３
2016516956.tif 000002
【特許請求の範囲】
【請求項１】
底面側で互いに接続された二つのサイドプレート（Ｌ）を有するチェーンリンク（Ｋ）が多数連結され、少なくともいくつかのチェーンリンク（Ｋ）にはその上面側に、一方側のサイドプレートに対して回動可能に取り付けられ、他方側のサイドプレートに対して係止されるクロスバー（Ｑ）が設けられ、前記サイドプレート（Ｌ）が、リンク列（Ｓｌ、Ｓｒ）を形成するように連結されて成るエネルギーガイドチェーン（Ｅ）の前記クロスバー（Ｑ）を開く開口補助具（１）において、
動作方向に延びる補助具本体（２）と、傾斜摺動反転面（３）でクロスバー（Ｑ）を反転案内する拡幅部（４）とを備え、
前記拡幅部（４）は、クロスバー（Ｑ）を反転させることができる拡幅位置と、その拡幅位置から退避されクロスバー（Ｑ）を反転させることができない中立位置との間で進退するように、補助具本体（２）に対して折り畳み可能に取り付けられたことを特徴とする開口補助具（１）。
【請求項２】
前記拡幅部（４）はヒンジ軸（ｓ１）の周りに二つの位置の間で回動自在に前記補助具本体（２）に取り付けられ、中立位置にある拡幅部（４）は、補助具本体（２）に折り畳まれた状態に配されている請求項１に記載の開口補助具（１）。
【請求項３】
中立位置において前記拡幅部（４）は、動作方向（ａ）及び高さ方向（ｈ）を含む長手方向面に対して、平行に又はほぼ平行に配されて成る請求項１又は２に記載の開口補助具（１）。
【請求項４】
前記補助具本体（２）に、中立位置の拡幅部（４）を収容する第一収納部（５.１）が形成された請求項１乃至３いずれか記載の開口補助具（１）。
【請求項５】
前記第一収納部（５.１）は、中立位置の拡幅部（４）を収容する表裏両面に開口された第一透孔部を有し、
前記拡幅部（４）が、中立位置から両側に向かって、動作方向（ａ）に対して左側の拡幅位置まで、または、動作方向（ａ）に対して右側の拡幅位置まで、回動自在に配されてなる請求項４記載の開口補助具（１）。
【請求項６】
前記補助具本体（２）がプレート状に形成された請求項１〜５いずれか記載の開口補助具（１）。
【請求項７】
前記補助具本体（２）には、動作方向（ａ）と反対方向に向かって、拡幅位置にある拡幅部（４）の傾斜摺動反転面（３）まで、クロスバー（Ｑ）をガイドする傾斜摺動案内面（８）が、動作方向（ａ）の反対方向に、且つ、高さ方向（ｈ）に延長して形成された請求項１乃至６いずれか記載の開口補助具（１）。
【請求項８】
前記拡幅部（４）は、動作方向（ａ）の後方へ向かって広がり、傾斜摺動反転面（３）を形成する翼形状に形成された請求項１乃至７いずれか記載の開口補助具（１）。
【請求項９】
前記拡幅部（４）をそれぞれの拡幅位置で支える支持部材（９）を備えた請求項１乃至８いずれか記載の開口補助具（１）。
【請求項１０】
支持部材（９）は、拡幅部（４）を支えるサポートレバー１０が、前記第一のヒンジ軸（ｓ１）に対して直角の第二のヒンジ軸（ｓ２）の周りに回動自在に配され、サポートレバー（１０）の自由端が拡幅部（４）と係合されるサポート位置と、サポートレバー（１０）が補助具本体（２）側に畳まれる中立位置との間で回動されるように補助具本体（２）に取り付けられた請求項９に記載の開口補助具（１）。
【請求項１１】
前記補助具本体（２）に、中立位置にあるサポートレバー（１０）を収容する第二収納部（５.２）が形成された請求項１０に記載の開口補助具（１）。
【請求項１２】
前記第二収納部（５.２）は、中立位置のサポートレバー（１０）を収容する表裏両面に開口された第二透孔（６.２）を有し、
前記サポートレバー（１０）が、中立位置から両側に向かって、動作方向（ａ）に対して左側の拡幅位置まで、または、動作方向（ａ）に対して右側の拡幅位置まで、回動自在に配されて成る請求項１１記載の開口補助具（１）。
【請求項１３】
前記支持部材（９）は、サポート位置で、その先端が拡幅部（４）に、好ましくはラッチにより係合される請求項９乃至１２いずれか記載の開口補助具（１）。
【請求項１４】
前記補助具本体（２）及び前記拡幅部（４）が、あるいは、前記補助具本体（２）、前記拡幅部（４）及び前記支持部材（９）が、中立位置に折り畳まれた状態で全面が一枚のプレート状になるように形成された請求項１乃至１３いずれか記載の開口補助具（１）。
【請求項１５】
ワンピースに形成された請求項１乃至１４いずれか記載の開口補助具（１）。
【発明の詳細な説明】
【技術分野】
【０００１】
本発明は、エネルギーガイドチェーンの開口補助具に関する。
特に、エネルギーガイドチェーンが、底面側で互いに接続された二つのサイドプレートを有するチェーンリンクが多数連結され、少なくともいくつかのチェーンリンクにはその上面側に、一方側のサイドプレートに対して回動可能に取り付けられ、他方側のサイドプレートに対して係止されるクロスバーが設けられて、サイドプレートが、リンク列を形成するように連結されており、前記クロスバーを開くために、動作方向に延びる補助具本体と、傾斜摺動反転面でクロスバーを反転案内する拡幅部とを備えた開口補助具に関する。
【背景技術】
【０００２】
この種のエネルギーガイドチェーンは、エネルギーガイドチェーンの内部空間に、ホース、ケーブルなどの供給ラインを案内するように形成され、その内部空間は、サイドプレートと横方向に延びるクロスバーによって画定されている。
【０００３】
エネルギーガイドチェーンは、供給ラインを導入したり、交換するために、その内部空間を開放する必要がある。
その作業には、例えばドライバー等が用いられる。
あるいは、一般的に使用されている開口補助具が用いられる。
このような開口補助具は、通常、内部空間内に動作方向に導入されて、その内部空間を通りエネルギーガイドチェーンに沿って移動されると、上部クロスバーの裏面に当接され、このとき反対側は底面で支持されているので、上部クロスバーをてこの原理で上方へ押し動かし、傾斜摺動反転面で内部空間の外側へ回動させる。
例えば、国際公開２０１１／５４８８１号パンフレット（特許文献１）には、補助具本体と、これに取り付けられた拡幅部とから成る一般的な構成の開口補助具が開示されている。
【先行技術文献】
【特許文献】
【０００４】
【特許文献１】国際公開２０１１／５４８８１号パンフレット
【発明の概要】
【発明が解決しようとする課題】
【０００５】
本発明の目的は、取扱いに便利な一般的な構成を有する開口補助具を提供することにある。
それに加えて、本発明は、構造が簡単で、製造が簡単な開口補助具を提供することを目的としている。
【課題を解決するための手段】
【０００６】
本発明によれば、その目的を請求項１に記載の構成により達成することができる。
有利な改良点は、その他の請求項に記載されている。
初期の目的は、拡幅部が、クロスバーを反転させることのできる拡幅位置と、その拡幅位置から退避されクロスバーを反転させることのできない中立位置との間で進退するように、補助具本体に対して折り畳み可能に取り付けられている構成により、既に達成されている。
【０００７】
この場合、拡幅部は、補助具本体から外すことなく、中立位置まで折り畳めば、補助具本体に沿ってその横に突出した状態に配され、例えば、施設やストアで保管するため、または、輸送の際に、省スペース化を図ることができ、拡幅位置に広げておく場合よりも問題が少ない。
従来の開口補助具は、拡張部が、工具によって手動で補助具本体から外すことができるように、補助具本体と拡幅部の二つの構成要素から成るため、紛失のおそれがあるだけでなく、使用のために再び組み立てなければならないという面倒がある。
これに対し、本発明の開口補助具は、再組立が面倒な補助具本体と拡幅部を適切に使用するために、非脱落式に接続した二つの分割されたパーツで形成されている。
【０００８】
拡張部と補助部本体は、互いに相対運動が可能であり、拡張部は、二つの位置の間で一次的に変位するように補助具本体に取り付けられている。
開口補助具の好ましい実施態様において、拡張部は、第一ヒンジ軸の周りの二つの位置の間で回動自在に、補助具本体に取り付けられている。
このように開口補助具は、構造を簡略化することができる。
さらに、中立位置において補助具本体に対して回動可能とするため、対応する部分に断面減少部を形成することができる。
【０００９】
中立位置において、拡幅部は、好ましくは、動作方向と高さ方向を含む平面に対して、平行にあるいはほぼ平行に配されている。  
その縦方向面は、横方向に対して直角に配されている。
開口補助具を使用する位置では、長手方向面は、サイドプレートに対して、平行にあるいはほぼ平行となる。
開口補助具を使用する位置において、エネルギーガイドチェーンのクロスバーは、横方向に面して配されている。
拡幅部は、中立位置では、補助具本体に平行に折り畳まれ、省スペース化を図ることができる。
拡幅部は、中立位置においては、補助具本体に隣接して、極めて近接した状態に配されている。
【００１０】
中立位置において、拡幅部は、補助具本体と一体になるように折り畳まれて、省スペース化を図ることができる。
中立位置において、拡幅部は、補助具本体内に折り畳まれ、この場合、好ましくは、補助具本体の内側から外殻の外側へ突出し、あるいは、補助具本体の内側から外殻の外側へ僅かに突出する。
開口補助具の好ましい実施例では、補助具本体は、中立位置の拡幅部を収納する第一収納部を備えている。
この点に関して、第一収納部は、中立位置の拡幅部が補助具本体の外殻から突出しないように形成されている。
これにより、拡幅部が中立位置にあるときに、開口補助具は横方向又は縦方向に最小化される。
【００１１】
開口補助具は、エネルギーガイドチェーンの内部空間内で、手動により又は自動的に移動するように設けられている。
この目的のために、開口補助具は、その下部がエネルギーガイドチェーンの底面に案内され、反対側のサイドプレートに回動自在に取り付けられたクロスバーを、エネルギーガイドチェーンの内部空間の外部へ回動するように動作方向に案内される。
【００１２】
クロスバーは、ロッキングバーやラッチフックのようなラッチ要素またはロッキング要素で設計された係合要素によって、リンク列を形成するように連結されている片側のサイドプレートに係止される。
ラッチコネクタに替えて、プラグインコネクタ及び／又はマグネットコネクタを用いることもできる。
【００１３】
開口補助具によりエネルギーガイドチェーンを開口させるため、クロスバーは、第一に、サイドプレートとの係合位置から、ドライバーなどの適当なツールによって開放位置まで動かされてサイドプレートから外された状態に維持され、その後、第二ステップで、他方のサイドプレート側にある開口補助具によって、クロスバーが第一の回動位置まで回動され、これによって、供給ラインを導入するために内部空間が開放される。
この場合、クロスバーは、それぞれ、縦方向軸の周りに回動自在に配され、動作方向に移動可能な開口補助具上をスライドして、内部空間の外側の第二回動位置まで回動する。
有利な手順では、開口補助部をエネルギーガイドチェーンの内部空間で移動させると、クロスバーが閉鎖位置から回動して起こされ、さらに第二の回動位置まで動かされる。
【００１４】
第一収納部は、中立位置にある拡幅部が収納されるように表裏両面側に開口した第一透孔部を備えている
特に有利には、拡幅部が第一透孔部に対して回動自在に配され、中立位置から動作方向に対して左側の拡幅位置、及び、動作方向に対して右側の拡幅位置の双方に回動可能に配されている。
このように、拡幅部は、中立位置から、動作方向に対して左側の拡幅位置まで、あるいは、右側の拡幅位置まで、選択的に回動される。
拡幅部が左側にある場合、開口補助具は、動作方向の左側で一方のサイドプレートに回動可能に取り付けられているクロスバーを回転させ、
動作方向の右側でクロスバーを他方のサイドプレートから外して開く。
【００１５】
逆の配置では、右側の拡幅位置にある拡幅部によってクロスバーが開放され、
このとき、開口補助具は、動作方向の左側でクロスバーをサイドプレートから外し、動作方向の右側でサイドプレートに回動可能に取り付けられているクロスバーを回動させる。
このように、それぞれのクロスバーが、動作方向に左側のサイドプレートに回動自在に取り付けられ、右側のサイドプレートで開放され、あるいは、開放可能に形成されている場合、左側の拡幅位置にある拡幅部により、開放位置へ回動される。
エネルギーガイドチェーン内に導入された開口補助具の拡幅部が動作方向に対して右側の拡幅位置にある場合、クロスバーは、動作方向右側でサイドプレートに回動可能に取り付けられると共に、サイドプレートの動作方向の右側の開放位置に回動され、動作方向に開口補助具を移動させることにより、動作方向左側でサイドプレートから開放されるように、あるいは、開放可能に形成されている。
【００１６】
第一ヒンジ軸は、有利には、長手方向面内に配されている。
この場合、拡幅部の左側拡幅位置及び右側拡幅位置が、長手方向面に対して鏡面対称の関係にある、
さらに、第一ヒンジ軸は、動作方向に対して傾斜して配されている。
この傾斜に対応して、拡幅部は、それぞれの位置の間で動作方向に対して斜め方向に回動自在に設けられる。
開口補助具の好ましい実施例では、第一ヒンジ軸は、動作方向反対側に、且つ、高さ方向に延長されている。
この場合、拡幅部は、動作方向に延びる中立位置からそれぞれの拡幅位置に回動可能に配されている。
拡幅部は、夫々の拡幅位置において動作方向の反対方向に拡幅された状態で配されている。
これによれば、開口補助具を動作方向に移動させると、それぞれの拡幅部により、まず、動作方向後方で、クロスバーに対して、拡幅部に近い第一ヒンジ軸の周りに負荷が作用し、さらに開口補助具を動作方向に移動させていくと、動作方向後方で、クロスバーが拡幅部に対してスライドし、それぞれの動作方向に対して半径方向外側に回動するようにガイドされる。
【００１７】
補助具本体は、プレート状に形成されていることが好ましい。
この場合、補助具本体は、プロセス工学の観点からも製造容易となる。
有利には、開口補助具は、射出成形、特に、プラスチック射出成形の方法により容易に製造することができる。
【００１８】
補助具本体は、従来技術と同様、少なくとも、動作方向後端部分から動作方向に対して先細りの楔状に形成されている。
この目的のため、補助具本体は、その底面にエネルギーガイドチェーンの内部空間にガイドされる摺動面が形成されると共に、その上面にクロスバーを開くための傾斜摺動案内面が形成されている。
傾斜摺動案内面は、動作方向反対側に向かって、且つ、高さ方向に向かって延びるように形成されている。
【００１９】
第一ヒンジ軸は、少なくともヒンジ軸に隣接する傾斜摺動案内面に対して平行にあるいはほぼ平行に配されていることが好ましい。
傾斜摺動案内面は、段階的な勾配又は連続的な勾配で形成されるように、動作方向に対して異なる部分で異なる角度に形成されていてもよい。
【００２０】
また、拡幅部は、翼状に形成されている。
これによって、動作方向後方で傾斜摺動反転面となる摺動端縁又は摺動面が形成される。
【００２１】
特許文献１の開示、特に、傾斜摺動案内面及び傾斜摺動反転面に関する開示は、本出願に組み込まれる。
【００２２】
拡幅部は、支持部材によって拡幅位置に支持固定される。
支持部材は、好ましくは、回動自在のサポートレバーで形成されている。
サポートレバーは、第一ヒンジ軸と直角あるいはほぼ直角な第二ヒンジ軸の周りに、サポートレバーの先端が拡幅部に係合されるサポート位置と、サポートレバーが補助具本体に折り畳まれる中立位置との間で、回動自在に配されている。
この場合、サポートレバーをサポート位置にセットすることにより、拡幅部を拡幅位置で支持することができる。
中立位置では、拡幅部と同様、サポートレバーは、補助具本体に折り畳まれる。
好ましくは、補助具本体は、中立位置に折り畳まれたサポートレバーを収納する第二収納部を備えている。
第二収納部は、中立位置にあるサポートレバーを収納する第二透孔が、表裏両面に貫通して開口形成されている。
サポートレバーは、第二透孔から中立位置の両側に向かって、動作方向左側の拡幅位置まで、あるいは、動作方向右側の拡幅位置まで、折り起こし可能に配されている。
それは、実質的に、第一透孔のから左側及び右側のそれぞれの拡幅位置に向かい拡幅部の回動動作に対応する。
【００２３】
支持部材は、好ましくはラッチにより、サポート位置で拡幅部に接続される。  
【発明の効果】
【００２４】
開口支持具には、クロスバーを持ち上げる傾斜摺動案内面が形成され、その動作方向の後端側には、動作方向の反対方向に向かって、上方に傾斜する傾斜摺動反転面が形成されている。
クロスバーとサイドプレートとの間の着脱可能な接続方式は、例えば、プラグコネクタや、磁石コネクタのように小さい力で開放できることが望ましい。
傾斜摺動反転面は、拡幅部の上に補助具本体に向かうように形成され、好ましくは補助具本体から突出されて、動作方向に向かって補助具本体に近付くように形成されている。
これによれば、傾斜摺動反転面は補助具本体に近づくように形成され、傾斜摺動案内面により持ち上げられて回動開始された上方クロスバーを反転させる。
狭い側面上部あるいは上部端縁が、傾斜摺動案内面として形成されることは、構造的により単純になる。
【００２５】
補助具本体及び拡幅部は、中立位置でその外郭がプレート状となるように形成される。
補助具本体及び中立位置の拡幅部に加えて、中立位置の支持部材は、その外郭がプレート状になるように形成される。
このように、開口補助具は、非常に単純な形状に形成されている。
【００２６】
好ましくは、開口補助具はワンピースで形成されている。
拡幅部及び支持部材は、それぞれ補助具本体に対してフィルムヒンジにより一体的に接続されている。
開口補助具が、単純な射出成型により形成される場合、拡幅部及び／又は支持部材は、それぞれ対応する透孔内に一枚の平面状に収納される。
【００２７】
以下、本発明を図面に示す開口補助具の実施例に基づいて、より詳細に説明する。
【図面の簡単な説明】
【００２８】
【図１】動作方向に対して左側を開く開口補助具を示す斜視図。
【図２】（ａ）〜（ｃ）は、図１に示す開口補助具を様々な方向から見た側面図。
【図３】図１に示す開口補助具がエネルギーガイドチェーンと係合している状態を動作方向から見た示す斜視図。
【図４】（ａ）〜（ｄ）は、折畳状態にある開口補助具を示す説明図。
【図５】動作方向に対して右側を開く開口補助具を示す斜視図。
【図６】（ａ）〜（ｃ）は、図５に示す開口補助具を様々な方向から見た側面図。
【図７】図５に示す開口補助具がエネルギーガイドチェーンと係合している状態を動作方向から見た示す斜視図。
【発明を実施するための形態】
【００２９】
図１〜７は、様々な角度及び位置から見た開口補助具１を示し、当該開口補助具１は、図３及び４に示すように、チェーンリンクＫを備えたエネルギーガイドチェーンの内部空間Ｒに動作方向ａで係合され、そのチェーンリンクＫは、動作方向ａに対して直角の横断方向ｑの周りに互いに回動自在に連結されている。
チェーンリンクＫはそれぞれ、底面側で互いに接続された二つのサイドプレートＬを有している。
エネルギーガイドチェーンＥの図示の実施形態において、チェーンリンクＫの各々は、長手方向軸Ｉ又は動作方向ａと平行な少なくとも一方のサイドプレートＬの上面側に、クロスバーＱが回動自在に取り付けられて接続されている。
個々のサイドプレートＬは、回動自在に接続されてエネルギーガイドチェーンと一体化し、図３と図７に示した動作方向に対して左側のリンク列Ｓｌ及び動作方向に対して右側のリンク列Ｓｒを構成する。
【００３０】
開口補助具１は、動作方向ａに延びる補助具本体２と、クロスバーＱを反転させる傾斜摺動反転面３が形成された拡幅部４を備えている。
拡幅部４は、クロスバーＱを反転させることができる拡幅位置（図１−３及び図５−７参照）と、その拡幅位置から退避されクロスバーＱを反転させることができない中立位置（図４参照）との間で、補助具本体２に対して折り畳み可能に取り付けられ、特に、拡幅部４は、第１のピボット軸ｓ１の周りに回動されて前記二つの位置の間で回動可能に補助具本体２に取り付けられている。
この場合、拡幅部４は、中立位置では、補助具本体２に折り畳まれた状態に配されている。
【００３１】
ここに示された開口補助具１の実施例では、前記拡幅部４が中立位置にあるときに、拡幅部４を補助具本体２の外郭の外側には突出させず、補助具本体２の外殻を構成するように収納する第一の収納部５.１を備えている。
言い換えれば、補助具本体２と拡幅部４は中立位置で、一枚のプレート状となる。
【００３２】
ここで、第一収納部５.１は、中立位置にある拡幅部４を収容する表裏両面に開口された第一透孔部６.１で形成されると共に、拡幅部４が、中立位置から両側に向かって、動作方向ａに対して左側の拡幅位置（図３参照）まで、または、動作方向ａに対して右側の拡幅位置（図７参照）まで、回動自在に配されている。
【００３３】
補助具本体２は、プレート状に形成されている。
開口補助具１は射出成形プラスチックにより射出成型法を用いて、一体に製造されている。
拡幅部４は、フィルムヒンジ７により、補助具本体２に一体的に接続されている。
【００３４】
第一のヒンジ軸ｓ１は、図２ａ、４ｂ及び６ｂの紙面と同じ面、すなわち、動作方向ａ及び高さ方向ｈを含む面の面内に沿って長手方向に配されている。
それは、動作方向ａの反対方向に延長されると同時に、高さ方向ｈへ延長され、その結果、動作方向ａに対して角度βをなす。
【００３５】
補助具本体２は、動作方向ａに向かって尖ったくさび形に形成されている。
また、補助具本体２には、動作方向ａと反対方向に向かって、拡幅位置にある拡幅部４の傾斜摺動反転面３までクロスバーＱをガイドする傾斜摺動案内面８が、動作方向ａの反対方向に、且つ、高さ方向ｈに延長して形成されている。
【００３６】
図１に示すように、傾斜摺動案内面８は、クロスバーＱを開口させる際の案内動作に応じて四つの領域Ｉ〜IVに分けられた側面形状を成す。
さらに動作方向ａの反対方向へ連続する領域Ｖは、エネルギーガイドチェーンの内部空間Ｒ内における長手方向l への開口補助具１の変位に伴って、翼形状に形成された拡幅部４の傾斜摺動反転面３で案内動作される。
図３では、翼形状拡幅部４が  動作方向ａに対して左側の拡幅位置にある状態を示し、開口補助具１は、作動方向ａの右側のリンク列Ｓｒに沿って案内され、エネルギーガイドチェーンＥの内部空間Ｒ内でその底面部に支持される。
【００３７】
摺動案内面８の側面形状は、エネルギーガイドチェーンＥを開口させるために用いられ、動作方向の後部側が第一の高さｈ１を有する第一領域Ｉ（図２ａ参照）に形成され、補助具本体２の先丸先端８.１と共に、開口補助具１を内部空間Ｒに確実に導入するのに役立つ。
第二領域IIでは、摺動案内面８の傾斜角度がさらに大きくなって、動作方向後方の第三領域IIIとの境で第二の高さｈ２に達しており（図２ａ参照）、また、摺動案内面８は動作方向ａの最後から二番目の領域で、クロスバーＱの裏面側に押し当てられる。
第三領域IIIは、クロスバーＱの右側をリンク列Ｓｒから取り外すためのものであり、第三領域IIIの傾斜は、実質的には第二領域IIの傾斜よりも小さく、これによって、動作方向ａに向かって開口補助具１を移動させたときに、てこの原理でクロスバーＱにモーメントが作用する。
動作方向ａの反対側に続く第四領域IVは、傾斜摺動案内面８の傾斜角度が再び大きくなり、これによって、第三領域IIIよりも低いレバー力が生じる。
そして、この第四領域IVにおいて、左側のリンク列Ｓ１の周りに生ずる回転モーメントにより問題のクロスバーＱが持ち上げられる。
【００３８】
選択的に、第一領域Ｉ及び第三領域IIIの異なる高さｈ１及びｈ２を有する側面形状は、それぞれ、異なる高さの内部空間Ｒが形成された他のエネルギーガイドチェーンＥを開く場合に役に立つ。
この場合、内部空間Ｒが比較的低いエネルギーガイドチェーンＥでは、第一領域Ｉで摺動案内面８がクロスバーＱの裏面に接触しながら、これを上方に開き及び／又は回動させ、続く領域II〜IVがさらに接触してクロスバーＱを反転させる、
この場合、内部空間Ｒが比較的高いエネルギーガイドチェーンＥでは、第三領域IIIで摺動案内面８がクロスバーＱの裏面に接触しながら、これを上方に開き及び／又は回動させ、続く領域IVがさらに接触してクロスバーＱを反転させる、
【００３９】
図７は、翼形状拡幅部４を右側の拡幅位置に折り起こした状態の同じ開口補助具を示すもので、開口補助具１は、左側のリンク列Ｓｌと対向するように配されている。
これに対応して、クロスバーＱの左側がリンク列Ｓｌから外されると、右側のリンク列Ｓｒを中心に右側に回動される。
クロスバーＱが回動自在に支持された夫々のリンク列Ｓｒ及びＳｌに対し隙間をあけて、開口補助具１が、内部空間Ｒ内に挿入されると、これによって、開口補助具１からクロスバーＱに対しモーメントが伝えられる。
【００４０】
翼形状拡幅部４は、支持部材９によってそれぞれの拡幅位置に支持された状態に固定される。
支持部材９は、拡幅部４の底面側を支えるサポートレバー１０が、前記第一のヒンジ軸ｓ１に対して直角の第二のヒンジ軸ｓ２の周りに回動自在に配されており、サポートレバー１０の自由端１１が拡幅部４と係合されるサポート位置（図１、２及び５参照）と、サポートレバー１０が補助具本体２側に畳まれた中立位置との間で回動されるように、補助具本体２に配されている。
この場合、補助具本体２には、拡幅部４と同様に、サポートレバー１０が中立位置にあるときに、サポートレバー１０を補助具本体２の外郭の外側には突出させず、補助具本体２の外殻を構成するように収納する第二の収納部５.２が形成されている。
【００４１】
第二の収納部５.２は、第一の収納部５.１と同様、第二の透孔６.２で形成され、サポートレバー１０は、拡幅部４と同様、中立位置から、動作方向ａに対して左側の拡幅位置まで回動し、また、動作方向ａに対して右側の拡幅位置まで回動し得るように中立位置に配され、これによって、サポートレバー１０は、翼状拡幅部４を双方の拡幅位置で支えることができる。
【００４２】
サポートレバー１０の自由端１１には、係止部として、サポート位置で拡幅部４に形成されたラッチ受け１３に係合する所定間隔の二つのラッチフック１２が形成されている。
これにより、サポートレバー１０と拡幅部４を確実に接続する。
ヒンジ軸ｓ１及びｓ２は互いに直角に配されているので、翼状拡幅部４とラッチフック１２は係合状態で互いに直角に配されて、サポートレバー１０により拡幅部４が最適な状態に支持されることとなる。
【００４３】
サポートレバー１０は、第二収納部５.２の中立位置に配され、拡幅部４と同様に、補助具本体２の外殻から突出せず、その外郭の一部を成すように形成されている。
サポートレバー１０は、フィルムヒンジ７により、補助具本体２に一体的に接続されている。
【００４４】
手動作業のため、開口補助具１の上部には、ハンドル１４となる凹部１５が形成されている。
また、例えば図１及び図５からわかるように、サポート位置にあるラッチホック１２は、第二収納部６.２から外側に折り起こされて、第二収納部６.２にユーザの指（図示せず）を通すことができるので、第二収納部５.２もハンドルの一部となる。
【産業上の利用可能性】
【００４５】
本発明は、左右のサイドプレートをクロスバーで接続したリンクを多数連結したエネルギーガイドチェーンの前記クロスバーを開放する開口補助具の用途に使用し得る。
【符号の説明】
【００４６】
１      開口補助具
２      補助具本体
３      傾斜摺動反転面
４      拡幅部
５.１    第一収納部
５.２    第二収納部
６.１    第一透孔部
６.２    第二透孔部
７      フィルムヒンジ
８      傾斜摺動案内面
８.１    先端
９      支持部材
１０    サポートレバー
１１    自由端
１２    ラッチホック
１３    ラッチ孔
１４    ハンドル
１５    凹部
Ｉ〜Ｖ  領域
β      角度
ａ      動作方向
ｌ      長手方向
ｑ      横断方向
ｈ      高さ方向
ｈ１    第一の高さ
ｈ２    第二の高さ
ｓ１    第一ヒンジ軸
ｓ２    第二ヒンジ軸
Ｅ      エネルギーガイドチェーン
Ｒ      内部空間
Ｋ      チェーンリンク
Ｌ      サイドプレート
Ｓｌ    左リンク列
Ｓｒ    右リンク列
Ｑ      クロスバー
【図１】
2016516956.tif 000003
【図２】
2016516956.tif 000004
【図３】
2016516956.tif 000005
【図４】
2016516956.tif 000006
【図５】
2016516956.tif 000007
【図６】
2016516956.tif 000008
【図７】
2016516956.tif 000009
【国際調査報告】
2016516956.tif 000010
2016516956.tif 000011
2016516956.tif 000012
2016516956.tif 000013